(57)【要約】【課題】植物基盤および植物を収容した容器を積み上げて、容易に所望の立体花壇を形成することができ、また、個々の植物基盤および植物を容易に入れ替えることができ、さらに、立体花壇の形状を容易に変更することができる立体花壇構造を提供する。【解決手段】内部に植栽基盤４と植物５の根の部分とを収容し、植物５が外部に臨む開口１２を備える筒状体２が、開口１２が水平方向に臨んだ状態で複数個積み上げられて形成される立体花壇１において、筒状体２は、蛇腹状の外周面６を有し、蛇腹の山部７が、隣り合う筒状体２の外周面６の谷部８に嵌り合った状態で積み上げられる。【選択図】図１
2011050308.tif 000002
【特許請求の範囲】
【請求項１】
内部に植栽基盤と植物の根の部分とを収容し、植物が外部に臨む開口を備える筒状体が、前記開口が水平方向に臨んだ状態で複数個積み上げられて形成される立体花壇において、前記筒状体は、蛇腹状の外周面を有することを特徴とする立体花壇構造。
【請求項２】
内部に植栽基盤と植物の根の部分とを収容し、植物が外部に臨む開口を備える筒状体が、前記開口が水平方向に臨んだ状態で複数個積み上げられて形成される立体花壇において、
前記筒状体の外周面には、凸部が形成され、前記凸部が、隣り合う筒状体の外周面に形成される凸部に当接した状態で積み上げられることを特徴とする立体花壇構造。
【請求項３】
前記筒状体は、前記蛇腹の山部が、隣り合う筒状体の外周面の谷部に嵌り合った状態で積み上げられることを特徴とする請求項１に記載の立体花壇構造。
【請求項４】
植物の根の部分および植栽基盤は、前記筒状体の内部に挿入される収容容器に収容されることを特徴とする請求項１から３に記載の立体花壇構造。
【請求項５】
前記開口は、前記筒状体の両端に形成され、前記収容容器は、前記筒状体の両端から挿入されることを特徴とする請求項４に記載の立体花壇構造。
【請求項６】
前記筒状体は、キャスターを備えた移動可能なフレーム体に収容されることを特徴とする請求項１から５のいずれか１つに記載の立体花壇構造。
【請求項７】
内部に植栽基盤と植物の根の部分とを収容し、植物が外部に臨む開口を備える筒状体が、前記開口が鉛直方向に臨んだ状態で複数個隣接して形成される立体花壇において、前記筒状体は、蛇腹状の外周面および内周面を有することを特徴とする立体花壇構造。
【発明の詳細な説明】
【技術分野】
【０００１】
本発明は、立体花壇構造に関し、より詳細には、植物基盤および植物を収容した容器を積み上げて形成される立体花壇構造の技術に関する。
【背景技術】
【０００２】
特許文献１には、ポット苗植物が収容された複数個の袋体をケーシングに設置して、壁面緑化パネルを形成することが記載されている。袋体には、ポット苗植物とともに土壌等の植栽基盤が収容される。袋体は、ケーシングの後面側から収容され、縦横に複数設置される。ケーシングの前面側には植物を臨出させる開口部が設けられており、袋体から裸出する植物部分は、開口部に挿通され、ケーシングの前面側に臨出させる。
特許文献２には、ガラス繊維を主体としたパネル状の成形保水体に、植物を植栽した植栽基盤が、壁面等に分離可能に取り付けられた緑化用ユニットが開示されている。
【先行技術文献】
【特許文献】
【０００３】
【特許文献１】特開２００８−１１３５７７号公報
【特許文献２】特開２００６−８７３３４号公報
【発明の概要】
【発明が解決しようとする課題】
【０００４】
特許文献１に記載される壁面緑化パネルでは、袋体を設置するためにケーシングが必要とされる。さらに、袋体は、ケーシングの後面側から収容され、袋体から裸出する植物部分は、ケーシングの前面側に設けられた開口部に挿通されるので、ポット苗植物が収容された袋体を入れ替える場合に手間がかかる。
さらに、緑化用ユニット全体の形状を変更する場合には、袋体が設置されるケーシングの形状を変えなければならず、ユニット全体の形状を容易に変更することはできない。
特許文献２に記載される緑化用ユニットを構成する植栽基盤はパネル状であるので、壁面などを利用せず単独で植栽基盤を設置する場合には、植栽基盤を支持するためのフレームが必要になる。
本発明の目的は、植物基盤および植物を収容した容器を積み上げて、容易に所望の立体花壇を形成することができ、また、個々の植物基盤および植物を容易に入れ替えることができ、さらに、立体花壇の形状を容易に変更することができる立体花壇構造を提供することである。
【課題を解決するための手段】
【０００５】
この課題を解決するために本発明は、内部に植栽基盤と植物の根の部分とを収容し、植物が外部に臨む開口を備える筒状体が、開口が水平方向に臨んだ状態で複数個積み上げられて形成される立体花壇において、筒状体は、蛇腹状の外周面を有するものである。また本発明において、内部に植栽基盤と植物の根の部分とを収容し、植物が外部に臨む開口を備える筒状体が、開口が水平方向に臨んだ状態で複数個積み上げられて形成される立体花壇において、筒状体の外周面には、凸部が形成され、凸部が、隣り合う筒状体の外周面に形成される凸部に当接した状態で積み上げられるものである。また本発明において、筒状体は、蛇腹の山部が、隣り合う筒状体の外周面の谷部に嵌り合った状態で積み上げられるものである。また本発明において、植物の根の部分および植栽基盤は、筒状体の内部に挿入される収容容器に収容されるものである。また本発明において、開口は、筒状体の両端に形成され、収容容器は、筒状体の両端から挿入されるものである。また本発明において、筒状体は、キャスターを備えた移動可能なフレーム体に収容されるものである。また本発明において、内部に植栽基盤と植物の根の部分とを収容し、植物が外部に臨む開口を備える筒状体が、開口が鉛直方向に臨んだ状態で複数個隣接して形成される立体花壇において、筒状体は、蛇腹状の外周面および内周面を有するものである。
【発明の効果】
【０００６】
内部に植栽基盤と植物の根の部分とを収容し、植物が外部に臨む開口を備える筒状体が、開口が水平方向に臨んだ状態で複数個積み上げられて形成される立体花壇において、筒状体は、蛇腹状の外周面を有するので圧縮強度が高く、蛇腹の山部が、隣り合う筒状体の外周面の谷部に嵌り合った状態で積み上げられるので、安定して積み上げられ、また、筒状体の外周面には、筒状体の中心軸と直交する横断面で切断した断面が矩形である凸部が形成されているので圧縮強度が高く、凸部が、隣り合う筒状体の外周面に形成される凸部に当接した状態で積み上げられるので、安定して積み上げられる。植物の根の部分および植栽基盤は、筒状体の内部に挿入される収容容器に収容することができるため、植物基盤および植物を収容した容器を積み上げて、容易に所望の立体花壇を形成することができ、また、収容容器を取り替えることによって、個々の植物基盤および植物を容易に入れ替えることができ、さらに、筒状体を取り除き、あるいは、新たに筒状体を加えることによって立体花壇の形状を容易に変更することができる立体花壇構造を提供することができる。
【図面の簡単な説明】
【０００７】
【図１】第１の実施形態における立体花壇１を示す斜視図である。
【図２】筒状体を示す斜視図である。
【図３】蛇腹の山部７と谷部８とが嵌り合った状態を示す断面図である。
【図４】収容容器３を示す斜視図である。
【図５】収容容器３の下部を示す断面図である。
【図６】立体花壇１９を示す斜視図である。
【図７】第２の実施形態における筒状体２２の斜視図である。
【図８】第３の実施形態における筒状体３２の斜視図である。
【図９】中心軸３４を含んだ平面で切断した筒状体３２の断面図である。
【図１０】中心軸３４と直交する面で切断した筒状体３２の断面図である。
【図１１】第４の実施形態における立体花壇４１を示す斜視図である。
【図１２】第５の実施形態における立体花壇５１を示す斜視図である。
【発明を実施するための形態】
【０００８】
本発明の第１の実施形態について図１、図２、図３、図４、図５および図６に基づいて説明する。図１は、本発明の第１の実施形態における立体花壇１を示す斜視図である。図２は、筒状体２を示す斜視図である。立体花壇１は複数の筒状体２を備える。筒状体２は、収容容器３と植栽基盤４および植物５とを備え、ベース９の上に積み重ねられる。
筒状体２は、たとえば、ポリエチレン製の排水管（商品例：大日本プラスチックス社製  コルゲートＳ型管  呼径ＣＳ−１５０（Ｈ））を切断したものが用いられ、略円筒形である。筒状体２の両端には開口１２が形成され、外周面６は、蛇腹状である。筒状体２は、筒状体２の中心軸１０と隣接する筒状体２の中心軸１１とが、水平方向に平行になるように配置される。本実施形態においては、水平方向に５個並べた筒状体２を垂直方向に１０段積み上げられるが、これに限定されるものではない。隣接する筒状体２は、図示しない番線、結束バンドあるいはボルトによって連結され固定される。複数の筒状体２が一体化された状態で固定され、立体花壇１が形成される。
【０００９】
図３は、隣接する筒状体２の山部７と谷部８とが嵌り合った状態を示す断面図である。筒状体２は、外周面６の山部７が、隣り合う筒状体２の外周面６の谷部８に嵌り込んだ状態で固定されるので、たとえば、隣接する筒状体２を番線で連結する場合に、より安定した状態で固定することができる。筒状体２の外周面６の谷部８には、図２に示すように、複数の長穴１４が円周方向に形成される。
【００１０】
図４は、収容容器３を示す斜視図である。収容容器３は、たとえばポリエチレン製の排水管（商品例：大日本プラスチックス社製  コルゲートＳ型管  呼径ＣＳ−１５０（Ｈ））が用いられる。収容容器３は、略円筒形である。収容容器３の両端には開口１３が形成され、収容容器３の外周面２０は、蛇腹状であり、蛇腹状の谷部１５には複数の長穴１６が貫通状態で円周方向に形成される。収容容器３の内部には、植栽基盤４と植物５の根の部分とが収容される。収容容器３は、収容容器３の開口１３が筒状体２の開口１２に位置するように配置され、植物５が筒状体２の開口１２から外部に臨むように収容される。
【００１１】
植栽基盤４として、たとえば、収容容器３の内部に土壌および植物５の根土を収容し、収容容器３の開口１３に乾燥芝を配置したものが用いられる。植栽基盤４が収容される収容容器３は、収容容器３の植物５が筒状体２の開口１２から水平方向に臨出するように配置されるが、開口１３には乾燥芝が配置されるので、土壌および植物５の根土が収容容器３の中から開口１３を通って外部にこぼれ出すことはない。
【００１２】
なお、植栽基盤４は、これに限定されるものではなく、土壌および植物５の根土が収容容器３の外部にこぼれ出さないものであればよい。また、収容容器３の開口１３には乾燥芝を配置したが、乾燥芝に限定されるものではない。たとえば、発泡スチロールまたは樹脂を板状に形成したものでもよく、または、水苔をワイヤー等で繋ぎ合わせたものでもよい。
【００１３】
外周面６が蛇腹状に形成された筒状体２を用いることによって、筒状体２の圧縮強度が保たれるので、筒状体２を積み上げた立体花壇１を形成することができる。また、筒状体２が積み重ねられると、筒状体２の外周面６には、積み重ねられた筒状体２の荷重が加えられるので、山部７と谷部８との嵌り込みは、より強固なものとなり、安定した立体花壇１を形成することができる。
【００１４】
図５は、収容容器３の下部を示す断面図である。屋外に設置された立体花壇１に雨が降り、あるいは、潅水を行った場合には、筒状体２の外周面６に形成された長穴１４を通して筒状体２の内部に水が入る。筒状体２の内部に入った水の一部は、収容容器３の外周面１４に形成された長穴１６を通して収容容器３の内部に入る。収容容器３の内部に入った水の一部は、植栽基盤４に吸収され、植栽基盤４に吸収されなかった水１８の一部は、収容容器３の底部の谷部１７に溜まる。これによって、植栽基盤４の乾燥を抑制することができる。
【００１５】
筒状体２および植栽基盤４が収容された収容容器３を、このように配置することによって、複数の筒状体２の開口から植物５が外部に臨む立体花壇１を形成することができる。また、枯れた植物５を取り替える場合、あるいは他の植物５に変更する場合には、筒状体２に収容した収容容器３を取り替えることによって、容易に行うことができる。さらに、筒状体２を繋いでいる番線を外して筒状体２を取り除き、あるいは、新たに筒状体２を加えて繋ぎ合わせることによって、立体花壇１全体の形状を変えることができる。図６は、立体花壇１９を示す斜視図である。たとえば図６に示すように、花壇の形状を三角形とすることができ、バリエーションを持たせることができる。
【００１６】
さらに、一部の筒状体２の開口１２を図示しない着色されたアルミ板、アクリル板、あるいは板状の陶器で塞ぐことによって、趣向性を向上させることができる。蛇腹状の外周面６の谷部８で切断された筒状体２の開口部１２は、弾性変形可能であり、切断された谷部８の内径よりも大きく山部７の内径よりも小さい図示しない遮蔽板を嵌め込んで容易に開口１２を塞ぐことができる。また、一部の筒状体２の開口１２に照明を設置することもできる。この場合には、立体花壇１から臨出された複数の植物５によって形成された垂直面から光が発せられ、趣向性の向上を図ることができる。
【００１７】
筒状体２として排水管（大日本プラスチックス社製  コルゲートＳ型管  呼径ＣＳ−２００（Ｈ））を切断したものを用いたが、これに限定されるものではない。ポリエチレン製のものは安価であり軽量なので持ち運びが便利であるが、ステンレス製のものでもよい。収容容器３として排水管（大日本プラスチックス社製  コルゲートＳ型管  呼径ＣＳ−１５０（Ｈ））を切断したものを用いたが、これに限定されるものではない。ポリエチレン製のものは安価であり軽量なので持ち運びが便利であるが、ステンレス製のものでもよい。
【００１８】
筒状体２の内部に植栽基盤４と植物５とが収容された収容容器３が挿入されているが、筒状体２の内部に直接植栽基盤４と植物５とを収容することもできる。このような構成にすると、植物５の入れ替えおよび立体花壇全体の形状の変更に手間が掛かるが、花壇の構成を簡単にすることができる。
【００１９】
図７は、第２の実施形態における筒状体２２の斜視図である。本発明の第２の実施形態について図７に基づいて説明する。第１の実施形態と重複する部分については、説明を省略し、同一の参照符を用いる。筒状体２２には、筒状体２２の両端開口２３，２４から収容容器３が各々１個ずつ収容される。収容容器３は、開口１３が筒状体２２の開口２３，２４に位置するように配置され、植物５が筒状体２２の開口２３，２４から外部に臨むように収容される。筒状体２２は、内部に２個の収容容器３を収容することができる長さとされる。
【００２０】
筒状体２２両端の開口２３，２４から植物５を臨出させることができるので、花壇の背面が人の目に触れないように花壇を壁面に沿って設置する必要はなく、たとえば広場に設置することができ、趣向性をいっそう向上させることができる。
【００２１】
図８は、第３の実施形態における筒状体３２の斜視図である。図９は、中心軸３４を含んだ平面で切断した筒状体３２の断面図である。図１０は、中心軸３４と直交する面で切断した筒状体３２の断面図である。第３の実施形態について図８、図９および図１０に基づいて説明する。第１または第２の実施形態と重複する部分については説明を省略し、同一の参照符を用いる。筒状体３２として、たとえば角型のポリエチレン製の電設管（商品例：東拓工業製角型ＴＡＣレックスＰＯ呼径１３０）が用いられる。筒状体３２の外周面３３には、筒状体３２の中心軸３４と直交する横断面で切断した断面が矩形である凸部３５が形成される。外周面３３は、円筒状部である。複数の凸部３５と外周面３３とが交互に配置されている筒状体３２は、凸部３５と、隣り合う筒状体３２の外周面３３に形成される凸部３５とが当接した状態で積み上げられる。隣合う筒状体３２どうしは、図示しない番線によって連結され固定される。筒状体３２には、収容容器３６が収容されるが、たとえば筒状体３２として用いられる角型の電設管（東拓工業製角型ＴＡＣレックスＰＯ呼径１３０）の開口径は１３０ｍｍであるので、収容容器３６として外径が１１７ｍｍであるポリエチレン製の排水管（大日本プラスチックス社製  コルゲートＳ型管  呼径ＣＳ−１００（Ｈ））が用いられる。
【００２２】
角型の電設管（東拓工業製角型ＴＡＣレックスＰＯ呼径１３０）は、圧縮強度が高いので、垂直方向に積み上げる筒状体３２の段数を多くすることができる。さらに、筒状体３２は、凸部３５が形成されており転がりにくいので、容易に運搬することができる。
【００２３】
筒状体３２として、角型の電設管（東拓工業製角型ＴＡＣレックスＰＯ呼径１３０）を切断したものを用いたが、これに限定されるものではない。筒状体３２の中心軸３４と直交する横断面で切断した断面は、たとえば、三角形のものでもよく、あるいは円弧状のものでもよい。ポリエチレン製のものは、安価で、また軽量で持ち運びが便利であるが、ステンレス製のものでもよい。収容容器３６として、排水管（大日本プラスチックス社製  コルゲートＳ型管  呼径ＣＳ−１００（Ｈ））を切断したものを用いたが、これに限定されるものではない。ポリエチレン製のものは、安価で軽量なので持ち運びが便利であるが、ステンレス製のものでもよい。
【００２４】
筒状体３２の内部に植栽基盤４と植物５とが収容された収容容器３６が挿入されているが、筒状体３２の内部に直接植栽基盤４と植物５とを収容することもできる。このような構成にすると、花壇の構成を簡単にすることができる。
【００２５】
図１１は、第４の実施形態における立体花壇４１を示す斜視図である。本発明の第４の実施形態について図１１に基づいて説明する。第１〜第３の実施形態と重複する部分については説明を省略し、同一の参照符を用いる。筒状体３２が収容されるフレーム体４２は、概ね直方体の形状を有し、水平方向に臨む開口４４を有する。フレーム体４２には、水平方向に３列、上下方向に９段の合計２７個の筒状体３２が、上下左右に積み上げられ、筒状体３２の開口から植物５が臨出するように配置される。
【００２６】
フレーム体４２は、積み上げられた筒状体３２が安定して収まる形状とされるので、各筒状体３２を番線等で連結することを要しない。フレーム体４２の下部には、キャスター４３が備えられるので、立体花壇４１を容易に移動させることができる。
【００２７】
図１２は、第５の実施形態における立体花壇５１を示す斜視図である。本発明の第５の実施形態について図１２に基づいて説明する。第１〜第４の実施形態と重複する部分については説明を省略し、同一の参照符を用いる。立体花壇５１は、内部に植栽基盤４と植物５の根の部分とを収容し、植物５が外部に臨む開口５３を備える筒状体５２が、開口５３が鉛直方向に臨んだ状態で複数個隣接して形成される。外周面および内周面が蛇腹状の筒状体５２は、表面積が大きいので、植栽基盤４に蓄積された熱を、筒状体５２を通して容易に外部に放出することができる。また、筒状体５２には、筒状体２と同様に長穴１４が設けられるので、植栽基盤４に蓄積された熱を長穴１４から直接放出することもできる。
【００２８】
このように、内部に植栽基盤４と植物５の根の部分とを収容し、植物５が外部に臨む開口１２を備える筒状体２が、開口１２が水平方向に臨んだ状態で複数個積み上げられて形成される立体花壇１において、筒状体２は、蛇腹状の外周面６を有するので圧縮強度が高く、安定して積み上げられ、植物基盤４および植物５を収容した容器を積み上げて、容易に所望の立体花壇１を形成することができる。
【００２９】
さらに、筒状体３２の外周面３３には、凸部３５が形成されているので圧縮強度が高く、凸部３５が、隣り合う筒状体の外周面に形成される凸部３５に当接した状態で積み上げられるので、安定して積み上げられ、植物基盤４および植物５を収容した容器を積み上げて、容易に所望の立体花壇１を形成することができる。
【００３０】
さらに、蛇腹の山部７が、隣り合う筒状体２の外周面６の谷部８に嵌り合った状態で積み上げられるので、筒状体２を安定して積み上げることができる。
さらに、植物の根の部分および植栽基盤は、前記筒状体の内部に挿入される収容容器に収容されるので、植物基盤および植物を収容した容器を積み上げて、容易に所望の立体花壇を形成することができ、また、収容容器を取り替えることによって、個々の植物基盤および植物を容易に入れ替えることができる。
【００３１】
さらに、開口２３は、筒状体２２の両端に形成され、収容容器３は、筒状体２２の両端から挿入されるので、筒状体２２両端の開口２３，２４から植物５を臨出させることができ、花壇の背面が人の目に触れないように花壇を壁面に沿って設置する必要はなく、たとえば広場に設置することができるので、趣向性をいっそう向上させることができる。
さらに、筒状体３２は、キャスター４３を備えた移動可能なフレーム体４２に収容されるので、移動可能な立体花壇４１を形成することができる。
【００３２】
さらに、内部に植栽基盤４と植物５の根の部分とを収容し、植物５が外部に臨む開口５３を備える筒状体５２が、開口５２が鉛直方向に臨んだ状態で複数個隣接して形成される立体花壇５１において、筒状体５２は、蛇腹状の外周面および内周面を有するので、植栽基盤４の温度上昇を抑えることができる。
【符号の説明】
【００３３】
１，１９，４１，５１  立体花壇
２，２２，３２，５２  筒状体
３，３６  収容容器  
４  植栽基盤
５  植物
６，２０，３３  外周面
７  山部
８，１７  谷部
１０，１１，３４  中心軸  
９  ベース
１２，１３，２３，２４，４４，５３  開口
１５  谷部
１４，１６  長穴
１８  水
３５  凸部
４２  フレーム体
４３  キャスター
【図１】
2011050308.tif 000003
【図２】
2011050308.tif 000004
【図３】
2011050308.tif 000005
【図４】
2011050308.tif 000006
【図５】
2011050308.tif 000007
【図６】
2011050308.tif 000008
【図７】
2011050308.tif 000009
【図８】
2011050308.tif 000010
【図９】
2011050308.tif 000011
【図１０】
2011050308.tif 000012
【図１１】
2011050308.tif 000013
【図１２】
2011050308.tif 000014